(57)【要約】【課題】支脚の折り畳みと起立操作が容易な折り畳み式ベットを提供する。【解決手段】支脚５の上端部をベットフレームＡに支軸１３により回転自在に連結して支脚５を起倒可能に備える。支脚５の倒伏側におけるベットフレームＡには水平方向に伸縮する支脚付勢手段２７を備えるとともにこの支脚付勢手段２７による付勢方向を前記支脚５の支軸１３を略通る方向に設定する。支脚付勢手段２７における前記の支軸１３に指向する側にはスライド金具２６を設け、該スライド金具２６の端部と前記支脚５の中間部との間を連結棒２０で回転可能に連結するとともに該連結棒２０を、その軸芯が支脚５の倒伏時に略水平になるようにして設ける。ベットフレームＡと支脚５との間に、支脚５の起立状態を保持したり、これを解除できるロック手段を設ける。【選択図】        図２
2005095372.tif 000002
【特許請求の範囲】
【請求項１】
支脚の上端部をベットフレームに支軸により回転自在に連結して支脚を起倒可能に備え、支脚の倒伏側におけるベットフレームには水平方向に伸縮する支脚付勢手段を備えるとともにこの支脚付勢手段による付勢方向を前記支脚の支軸を略通る方向に設定し、該支脚付勢手段における前記の支軸に指向する側にはスライド金具を設け、該スライド金具と前記支脚の中間部との間を連結棒で回転可能に連結するとともに該連結棒を、その軸芯が支脚の倒伏時に略水平になるようにして設け、ベットフレームと支脚との間に、支脚の起立状態を保持したり、これを解除できるロック手段を設けたことを特徴とする折り畳み式ベット。
【請求項２】
前記支脚付勢手段をコイルスプリングで形成した請求項１記載の折り畳み式ベット。
【請求項３】
前記ロック手段を、前記支脚にロックピンを設け、前記ベットフレームにロックレバーを回転自在に設けるとともに前記ロックピンの上面を通るようにして設け、該ロックレバーには、これを下方へ付勢するロックレバー付勢手段を設け、更に、ロックレバーの下面側には、支脚の起立状態において前記ロックピンに外脱可能に嵌合するロック溝を設けて形成した請求項１又は２記載の折り畳み式ベット。
【請求項４】
前記支脚付勢手段の付勢力よりも弱い付勢力で支脚を起立方向へ付勢する補助付勢手段を設け、前記支脚付勢手段を、支脚の起立状態から倒伏する初期の所定範囲においては前記スライド金具が前記支脚付勢手段に作用しないように、支脚付勢手段の軸方向長を設定した請求項１又は２又は３記載の折り畳み式ベット。
【発明の詳細な説明】
【技術分野】
【０００１】
本発明は折り畳み式ベットに関するもので、例えばホテルや病院の補助ベットなどに利用して有効な折り畳み式ベットに関する。
【背景技術】
【０００２】
従来、折り畳み式ベットとして、ベットフレームに支脚を起倒可能に設けるとともに該支脚とベットフレーム間にガススプリングを斜めに架設して、支脚を折り畳み可能に設け、この支脚の起立状態と倒伏状態をロック手段でロックするようにしたものが知られている。
【発明の開示】
【発明が解決しようとする課題】
【０００３】
前記従来の折り畳み式ベットにおいては、その支脚の起立状態と倒伏状態をロックする２つのロック手段を必要とし、更に、ガススプリングを使用しているため、そのガススプリングのガス漏れによる力不足や耐久性の低下を招き、また、支脚の起倒動作が緩慢でその操作に手間がかかる問題がある。
更に、前記従来のガススプリングは、支脚を起立状態から倒伏する際に、その倒伏開始時点からガススプリングを縮めるように設定されているため、支脚の折り畳み開始時点からガスを圧縮しなければならず、支脚の折り畳みが困難である。
【課題を解決するための手段】
【０００４】
前記の課題を解決するために、請求項１記載の発明は、支脚の上端部をベットフレームに支軸により回転自在に連結して支脚を起倒可能に備え、支脚の倒伏側におけるベットフレームには水平方向に伸縮する支脚付勢手段を備えるとともにこの支脚付勢手段による付勢方向を前記支脚の支軸を略通る方向に設定し、該支脚付勢手段における前記の支軸に指向する側にはスライド金具を設け、該スライド金具と前記支脚の中間部との間を連結棒で回転可能に連結するとともに該連結棒を、その軸芯が支脚の倒伏時に略水平になるようにして設け、ベットフレームと支脚との間に、支脚の起立状態を保持したり、これを解除できるロック手段を設けたことを特徴とするものである。
【０００５】
請求項２記載の発明は、前記請求項１記載の発明において、前記支脚付勢手段をコイルスプリングで形成したものである。
【０００６】
請求項３記載の発明は、前記請求項１又は２記載の発明において、前記ロック手段を、前記支脚にロックピンを設け、前記ベットフレームにロックレバーを回転自在に設けるとともに前記ロックピンの上面を通るようにして設け、該ロックレバーには、これを下方へ付勢するロックレバー付勢手段を設け、更に、ロックレバーの下面側には、支脚の起立状態において前記ロックピンに外脱可能に嵌合するロック溝を設けて形成したものである。
【０００７】
請求項４記載の発明は、前記請求項１又は２又は３記載の発明において、前記支脚付勢手段の付勢力よりも弱い付勢力で支脚を起立方向へ付勢する補助付勢手段を設け、前記支脚付勢手段を、支脚の起立状態から倒伏する初期の所定範囲においては前記スライド金具が前記支脚付勢手段に作用しないように、支脚付勢手段の軸方向長を設定したものである。
【発明の効果】
【０００８】
本発明において、支脚を起立してその起立状態をロック手段でロックすることにより、支脚の起立状態を保持できる。
【０００９】
支脚を折り畳む場合には前記のロック手段を解除して支脚を倒伏方向へ回動させると、連結棒が支脚付勢手段を縮小して該支脚付勢手段に蓄力される。支脚が倒伏されると連結棒が水平状態となり、支脚付勢手段の反発力によって支脚に作用する垂直分力は少なくなる。そのため、ベットフレームなどからなるベットの自重よりも前記垂直分力が小さくなり、ベットの自重により支脚の倒伏状態が自然に保持される。
【００１０】
したがって、支脚を折り畳むのみでその折り畳み状態が保持され、支脚の折り畳み状態を保持する保持手段（ロック手段）が不要になり、支脚の折り畳み操作が容易になり、かつ、部品点数を少なくしてコスト低減を図ることができる。
【００１１】
また、請求項２の発明のように、支脚付勢手段をコイルスプリングにすることにより、このコイルスプリングの付勢力を、支脚を早く倒伏できるように弱く設定することができ、ガススプリングに比べて支脚を早く折り畳んでベットを早く片付けることができる。更に、コイルスプリングによれば、ガススプリングのようなガス漏れがなく、耐久性を高めることができる。更に、コイルスプリングによればガススプリングに比べてメンテナンスも容易に行える。更に、コイルスプリングによれば、ガススプリングに比べて、ベットの大きさ、重量などに対して容易に対応することができる。
【００１２】
また、請求項３の発明によれば、支脚の折り畳み状態からベットフレームを手で持ち上げる操作のみで自然に支脚の起立状態がロックできるので、ベットを使用状態にする作業が容易に、かつ、早くできる。
【００１３】
また、請求項４の発明によれば、支脚を起立状態から折り畳む初期において、その支脚の折り畳み操作力が小さくて良く、支脚の折り畳み操作が容易に行える。
【発明を実施するための最良の形態】
【００１４】
図は本発明を実施するための最良の形態を示すもので、図１は支脚を起立した状態の斜視図、図２は図１のＧ−Ｇ線で見た断面図、図３は図２の左側から見た図、図４は図２の状態から支脚を折り畳んだ状態を示す断面図である。
【００１５】
図１においてベットのフレームＡは前後枠１，２と左右側枠３，４からなり、これらは一体に連結されている。なお、図においてＢ−Ｃ方向を前後方向とし、Ｄ−Ｅ方向を左右方向とする。
【００１６】
前記ベットフレームＡの四隅には支脚５〜８と該支脚５〜８の作動機構９〜１２が設けられている。四隅におけるそれぞれの支脚５〜８と作動機構９〜１２は同一構造であるため、前側の左側における１個の支脚５とその作動機構９について説明する。
【００１７】
支脚５の上端部は側枠３の内側に支軸１３により前後方向（図２の矢印Ｂ１−Ｃ１方向）に回転可能に備えられており、該支脚５を支軸１３を中心として矢印Ｂ１方向へ回動して倒伏したり、Ｃ１方向に回転して起立できるようになっている。支脚５の下端には第1の車輪１４が、左右方向に配置した支軸１５により回転自在に備えられている。更に、支脚５には、第２の車輪１６が腕１７により備えられている。該第２の車輪１６は、支脚５の前後方向の外側面５ａよりも突出して設けられており、支脚５を図４に示すように倒伏した場合に該第２の車輪１６が床面Ｆに接地し、第１の車輪１４が床面Ｆより浮き上がるようになっている。
【００１８】
前記支軸１３の外周には補助付勢手段であるねじりバネ４０が、その一端を前記側枠３側に当接し、他端を支脚５の後述するロックピン２８に当接して設けられており、支脚５を常時起立方向へ付勢している。該補助付勢手段４０の付勢力は後述する支脚付勢手段２７の付勢力よりも弱く設定されている。
【００１９】
前記支脚５の中間部にはリンク金具１８が固設されており、該リンク金具１８に、前後方向に設けた連結ピン１９によって連結棒２０が回転自在に備えられている。該連結棒２０は側枠３に沿って配置されており、前記連結ピン１９と反対側にはリンク金具２１が設けられている。
【００２０】
前記支脚５の倒伏側における側枠３の内側には筒状の案内金具２２が側枠３に沿った水平状態に固設されており、該案内金具２２の軸芯の延長線が前記支脚５の支軸１３を略通るように設定されている。該案内金具２２の側壁２３には、案内長溝２４が、前後方向に形成されている。そして、該案内長溝２４に、前記リンク金具２１の側部に突設したスライドピン２５が摺動可能に嵌合している。
【００２１】
前記リンク金具２１には、前記案内金具２２内を前後方向に摺動可能なスライド金具２６が前記スライドピン２５を中心として回動可能に備えられている。
【００２２】
前記案内金具２２内には、前記スライド金具２６と、案内金具２２の後端壁２２ａ間において支脚付勢手段であるコイルスプリング２７が水平方向に介在されており、前記スライド金具２６、すなわち、連結棒２０を支脚５の方向へ付勢できるようになっている。したがって、コイルスプリング２７の伸長による付勢方向が、前記支脚５の支軸１３を略通る方向に設定されている。また、該コイルスプリング２７の軸方向長Ｍは図２に示すように、支脚５が起立した状態において、スライド金具２６とコイルスプリング２７と間に所定長の空間部Ｎが形成されるように設定されており、支脚５の起立状態から倒伏する初期の所定範囲においては連結棒２０の端部、すなわち、スライド金具２６がコイルスプリング２７に当たらず、この状態から更に支脚５を倒伏した場合にスライド金具２６がコイルスプリング２７に当接作用してコイルスプリング２７を圧縮するようになっている。
【００２３】
なお、連結棒２０における支脚５への取付位置、すなわち連結ピン１９の位置は、図２に示すように支脚５を起立させた場合には、案内金具２２より下方に位置して連結棒２０が傾斜し、図４に示すように支脚５を倒伏した場合には、案内金具２２と略同等の高さに達して連結棒２０が案内金具２２の軸芯に沿った水平状態におかれるように設定されている。
【００２４】
また、前記案内金具２２の下面は開口されており、スライド金具２６が案内金具２２内を移動する際に連結棒２０が前記開口部を通じて移動できるようになっている。
【００２５】
前記支脚５の中間部の内面にはロックピン２８が突設されている。また、支脚５の倒伏方向側における側枠３の内側にはピン２９が設けられ、該ピン２９にロックレバー３０が前後方向に回動自在に設けられている。該ロックレバー３０は、その先部が前記支脚５に設けたロックピン２８の上部を通るように配置されている。また、ロックレバー３０の下面側には、図２に示すように、支脚５の起立状態時において、支脚５に突設したロックピン２８が嵌入するロック溝３１が、下方を開口して形成されている。更に、ロックレバー３０は、ロックレバー付勢手段、図の例ではピン２９の外周に巻設したねじりバネ３２により、ロックレバー３０の先部、すなわちロック溝３１を形成した側が下降するように常時付勢されている。
【００２６】
前記ロックピン２８、ロックレバー３０、ロック溝３１などによりロック手段を構成している。
前記支脚５とその作動機構９以外の支脚６〜８とその作動機構１０〜１２は、前記支脚５とその作動機構９と同様であるため、前記と同一部分には前記と同一の符号を付してその説明は省略する。
【００２７】
なお、前記支脚５と６は支脚連結軸３３で連結され、前記支脚７と８は支脚連結軸３４で連結されている。また、前記作動機構９側のロックレバー３０と作動機構１０側のロックレバー３０はロックレバー連結軸３５で連結され、前記作動機構１１のロックレバー３０と作動機構１２のロックレバー３０はロックレバー連結軸３６で連結されている。
【００２８】
また、前記ベットフレームＡを形成する各枠１〜４間の上面には支持金網等からなる支持部材３６が張設されており、該支持部材３６の上面にマットレス３７などを載置するようになっている。
【００２９】
次に支脚の起倒操作について説明する。
図１及び図２は各支脚５〜８の起立状態を示し、各支脚５〜８は、そのロックピン２８がロックレバー３０のロック溝３１に嵌合し、起立状態がロックされている。この支脚状態では、各枠１〜４からなるベットフレームＡの床面Ｆからの高さＨ１はベットとして使用する高さになる。また、この支脚５〜８の起立状態では支脚５〜８の下端に設けた第１の車輪１４が床面Ｆに接し、該ベットを車輪１４によって移動できる。
【００３０】
次に、前記の支脚の起立状態から各支脚５〜８を折り畳む操作について説明する。
前側の支脚５，６を折り畳む際には、先ず、ロックレバー３０を上動する。このとき、前側の１本のロックレバー連結軸３５を手動で上動することにより、前側の両ロックレバー３０，３０を同時に上動することができる。このロックレバー３０，３０を上動することにより、そのロック溝３１，３１が支脚５，６のロックピン２８，２８より外脱する。
【００３１】
次に、このロックピン２８，２８の外脱状態を保持してベットフレームＡを手で下方へ押しつつ前方へ引くと、支脚５，６は支軸１３を中心として図２の矢印Ｂ１方向へ倒れる。この支脚５，６の倒れにより連結棒２０が矢印Ｂ１方向へ押し移動され、該連結棒２０に連結されたリンク金具２１及びスライド金具２６が、案内長溝２４とスライドピン２５に案内されて図２の矢印Ｋ方向へ移動する。この支脚５，６の倒伏初期、すなわち支脚を若干倒伏する間においては、ねじりバネ４０の弱い付勢力と、空間Ｎの存在によって支脚５を容易に倒すことができる。この若干の倒伏状態から更に支脚５，６を倒伏すると、スライド金具２６がコイルスプリング２７に当接してコイルスプリング２７を押し縮め、コイルスプリング２７に蓄力される。また、ロックレバー３０は図４に示すようにロックピン２８により押し上げられる。
【００３２】
支脚５，６が図４に示すように倒伏されると、連結棒２０が図４に示すように、案内金具２２の軸芯、すなわちコイルスプリング２７の軸芯と略同軸上に位置して略水平状態になり、コイルスプリング２７の軸芯の延長線上に連結棒２０の軸芯が略位置し、かつ、支脚５，６の支軸１３が位置する。
【００３３】
この支脚５，６の倒伏状態では、コイルスプリング２７に蓄積された反力は、連結棒２０の軸芯上で、かつ、支脚５，６の支軸１３に向かって作用するため、支脚５，６を起立させる方向への分力（図２における垂直分力Ｙ）は極めて小さくなる。そのため、この支脚５，６の倒伏状態では、前記のコイルスプリング２７による支脚５，６の起立方向への分力とねじりばね４０の付勢力の総力よりもベットフレームＡ等のベットの自重の方が大きくなり、支脚５，６の倒伏状態が自然に保持される。したがって、支脚の倒伏状態をロックする機構が不要になる。
【００３４】
また、後側の支脚７，８も前側の支脚５，６と同様の操作により倒伏する。
この支脚５〜８の折り畳み状態では、図４に示すように、各支脚５〜８に設けた第１の車輪１４が床面Ｆより離間し、第２の車輪１６が床面Ｆに接触し、この折り畳み状態のベットを車輪１６によって容易に移動できる。
【００３５】
この支脚５〜８の折り畳みにより図４に示すように、床面ＦからベットフレームＡの上面までの高さＨ３は前記図２の支脚の起立時の高さＨ１よりも低くなる。したがって、支脚５〜８を倒伏し、かつ、ベットフレームＡ上にマットレス３７を載置した全体の高さＨ３＋Ｈ２を、他の通常の背丈の高いベットにおける下部空間に収まる高さに設定することにより、他の通常のベットの下部空間に本発明の折り畳み式ベットを収納することができ、ホテルや病院などにおいて補助ベットとして使用することができる。
【００３６】
次に、前記の支脚の折り畳み状態から支脚を起立させる場合には、図４の状態からベットフレームＡの前側を手で持ち上げる。
【００３７】
これにより支脚５，６の自重によって支脚５，６が支軸１３を中心として下方へ回動すると同時にコイルスプリング２７に蓄積された反発力により連結棒２０のリンク金具２１が図１の矢印Ｌ方向に押される。支脚５，６が起立し始めると連結棒２０は傾斜し、図２に示すように、該連結棒２０に作用する荷重Ｚによる水平分力Ｘと垂直分力Ｙとの関係は、支脚５，６の起立角度が大きくなるにつれて分力Ｙが大きくなり、コイルスプリング２７の荷重（反発力）によって支脚５，６は自然に起立する。
【００３８】
この支脚５，６の起立によりロックレバー３０が、そのねじりバネ３２の付勢力によってピン２９を中心として、ロックレバー３０の下面がロックピン２８上を摺動しながら下動する。
【００３９】
支脚が最終起立状態に近づくと、コイルスプリング２７は伸びきってその付勢力は連結棒２０に作用しない。そして、その後は補助付勢手段であるねじりバネ４０の付勢力により支脚が起立方向へ回動する。
【００４０】
支脚５，６が所定位置、すなわち図２に示す使用状態まで起立すると、支脚５，６に設けたロックピン２８が自然にロックレバー３０のロック溝３１内に嵌入し、その支脚５，６の起立状態がロックされて保持される。
【００４１】
また、後側の支脚７，８も、ベットフレームＡの後側を持ち上げることにより、前記と同様に起立するとともにロックされる。
したがって、支脚５〜８の起立操作は、単にベットフレームＡを持ち上げる操作のみで行える。
【図面の簡単な説明】
【００４２】
【図１】本発明の実施例を示す斜視図で、支脚を起立させた図。
【図２】図１におけるＧ−Ｇ線断面図。
【図３】図２における左側から見た図。
【図４】図２の状態から支脚を折り畳んだ状態を示す図。
【符号の説明】
【００４３】
Ａ    ベットフレーム
１〜４    側枠
５〜８    支脚
１３    支軸
２０    連結棒
２６    スライド金具
２７    支脚付勢手段であるコイルスプリング
２８    ロック手段であるロックピン
３０    ロック手段であるロックレバー
３１    ロック手段であるロック溝
３２    ロックレバー付勢手段
４０    補助付勢手段であるねじりバネ
【図１】
2005095372.tif 000003
【図２】
2005095372.tif 000004
【図３】
2005095372.tif 000005
【図４】
2005095372.tif 000006